(57)【要約】      （修正有）【課題】長期間に亘って、塩素除去、殺菌作用及びミネラル水生成能を有すると共に、所定のミネラル分を生成することにより、菌の繁殖を防止し、飲用や料理用としても極めておいしい水に浄化する浄水器を提供する。【解決手段】上部には水道の蛇口と連通する原水供給口、下部には浄化された水の吐出３を有し、内部には上部の活性炭層５と下部の微量のラジウムを含む風化した粒状花崗岩層６とがスクリーン４ａ、４ｂ、４ｃを介して積層された浄水材層が、スクリーンで挟持されている。活性炭層に吸着された塩素は、ミネラル水中のミネラルと反応してイオンとなり水に溶解する。この状態であると、壊れ易い微量のラジウムを含む風化した粒状花崗岩層は、水で押さえつけられて上下動することがないので、粉化が防止され極めて長期間美味しいミネラル水を生成する。【選択図】図１
0003132821.tif 000002
【実用新案登録請求の範囲】
【請求項１】
上部には水道の蛇口と連通する原水供給口、下部には浄化された水の吐出口を有し、内部には上部の活性炭層と下部の微量のラジウムを含む風化した粒状花崗岩層とがスクリーンを介して積層された浄水材層が、上下のスクリーンで挟持されていることを特徴とするミネラル水生成浄水器。
【請求項２】
前記スクリーンは、ステンレス製の網である請求項１に記載の浄水器。
【請求項３】
前記スクリーンは、５０〜２００メッシュの網目を有し、前記活性炭及び風化した粒状花崗岩は、これより大きな粒度を有する請求項１又は２に記載の浄水器。
【考案の詳細な説明】
【技術分野】
【０００１】
本考案は、水道の蛇口に取り付けて水道水を浄化してミネラル水を生成する浄水器に係り、詳記すれば、内部の浄水材を交換することなく、１０年以上の長期間支障なく浄水してミネラル水を生成することができる浄水器に関する。
【背景技術】
【０００２】
従来から種々の浄水器が知られている。例えば活性炭に銀を混入させた浄水材を内装した浄水器が知られているが、これはある程度使用していると塩素等を吸着しなくなるので、定期的に浄水材を交換しなければならない問題があった。そればかりか、浄水材を通過した水は腐敗し易いので、飲料水としておいしく且つ安全性が高いという点でも極めて不満足であった。
【０００３】
一方、残留塩素の除去及び殺菌のほかに、ミネラルを付与しておいしい水とした浄水器も知られている（特許文献１参照）。しかしながら、このものも特に残留塩素の除去効果が所定の期間使用すると弱くなることと、ミネラル水を精製する石が粉化して除去されるので、定期的に浄水材を交換しなければならない問題があった。
【特許文献１】特開２００５−２８８２５１
【考案の開示】
【考案が解決しようとする課題】
【０００４】
本考案は、長期間に亘って、塩素除去、殺菌作用及びミネラル水生成能を有すると共に、所定のミネラル分を生成することにより、菌の繁殖を防止し、飲用や料理用としても極めておいしい水に浄化する浄水器を提供することを目的とする。
【課題を解決するための手段】
【０００５】
上記目的を達成するため本考案者は、鋭意研究の結果、ラジウムを含む風化した粒状花崗岩層と活性炭層とをスクリーンを介して隣接させることにより、活性炭層の塩素の吸着力が極めて長期間損なわれないことを見出すと共に、風化した粒状花崗岩を押さえるように原水を流すことによって、壊れ易いラジウムを含む風化した花崗岩が極めて長期間経過しても粉末化除去されないことを見出し、本考案に到達した。
【０００６】
即ち本考案は、上部には水道の蛇口と連通する原水供給口、下部には浄化された水の吐出口を有し、内部には上部の活性炭層と下部の微量のラジウムを含む風化した粒状花崗岩層とがスクリーンを介して積層された浄水材層が、スクリーンで挟持されていることを特徴とする。
【０００７】
前記スクリーンは、ステンレス製の網であるのが好ましい（請求項２）。このスクリーンは、５０〜２００メッシュの網目を有し、前記活性炭及び風化した花崗岩は、これより大きな粒度を有するようにするのが好ましい（請求項３）。
【考案の効果】
【０００８】
本考案によれば、ラジウムを含む風化した粒状花崗岩の作用によって、活性炭の塩素吸着能を長期間維持できるようにすると共に、水道水を上から下に流すことによって、風化した花崗岩が上下動しないように保持できるので、風化した花崗岩が粉化し難くなることから、極めて長期間優れた浄水能とミネラル水生成能を発揮する。現実に浄水材を全く交換することなく、１０年以上優れた浄水能及びミネラル水生成能を維持することが確認されている。
【０００９】
本考案の効果の原因は、ラジウムを含む風化した粒状花崗岩の金属イオンが、活性炭に吸着した塩素と反応して無害な無機塩となり塩素が除去されるので、活性炭の吸着能が落ちないことと、風化した花崗岩の粉化を防止したことにあると考えられている。
【考案を実施するための最良の形態】
【００１０】
次に、本考案の実施の形態を図面に基づいて説明する。
【００１１】
断面円形の浄水器ハウジング（タンク）１には、上端に通水口２、下端側部に吐出口３が形成され、吐出口３には、自在パイプ７が連結されている。内部には第２スクリーン４ｂを介して、上部に活性炭層５が、下部に風化した粒状花崗岩層６が、充填されている。尚、通水口２には、ホースを介して水道の蛇口と連結するようになっている。
【００１２】
活性炭層５は、第２スクリーン４ｂと第１スクリーン４ａとで挟持され、風化した花崗岩層６は、第２スクリーン４ｂと第３スクリーン４ｃとで挟持されている。
【００１３】
スクリーン（第１スクリーン〜第３スクリーン）４は、図２に示すように、ステンレスで短円筒状に形成した底部に網８を形成している。尚、円筒状に形成された熱可塑性樹脂（例えば塩ビ）に、ステンレスの網をヒートシールで溶着固定しても差し支えない。
【００１４】
スクリーンは、５０〜２００メッシュの網目であるのが好ましく、活性炭及び風化した粒状花崗岩は、この網目を通過しない程度の大きさにする必要がある。
【００１５】
本考案に使用するラジウムを含む風化した花崗岩としては、海底火山で生成されたものが、太平洋プレートで陸地化してから６００万年以上経過したものを使用することができる。この風化した花崗岩は、石英、長石、雲母が大豆粒以下に壊れているので、スコップで採取することができる。採取してから篩にかけ、大豆粒のものだけを図１に示すように充填する。この大きさのものだと通水能力に優れると共に容易にミネラル水を生成する。この風化した花崗岩の分析結果を次表１に示す。尚、この風化した花崗岩は、遠赤外線を発生することが実験により確認されている。更にこの風化した花崗岩には、水の分子集団（クラスター）を小さくする作用があるので、人間の細胞に吸収され易い、極めてのど越しの良い美味しい水となる。
【００１６】
【表１】
0003132821.tif 000003
上記分析結果から明らかなように、本発明の風化した花崗岩には、ラドンが微量に含有されている。
【００１７】
図１に示す浄水器を使用し、３．０リットル／分のろ過流量で、５分通水後の通過水について、水質試験を行った。試験は、東京食品技術研究所で行った。結果を次表２に示す。
【００１８】
【表２】
0003132821.tif 000004
上記通過水は、大腸菌に対し抗菌力があり、大腸菌を減少させることが財団法人日本分析センターの試験により確認されている。
【００１９】
上記通過水は、金魚、熱帯魚、プラナリヤの飼育ができる。プラナリヤは、岩清水にしか生息できない水棲生物であることから、本考案により生成したミネラル水は、岩清水と同じミネラル水であると言える。このようにして得られたミネラル水は、市販の国産ミネラルウォーターの約２倍のミネラル分を含有し、ウイスキーの水割りとして、またご飯を炊く水として使用すると、極めて美味しい味となることが証明されている。
【図面の簡単な説明】
【００２０】
【図１】本考案による浄水器の一例を示す断面図である。
【図２】本考案に使用するスクリーンの一例を示す斜視図である。
【図１】
0003132821.tif 000005
【図２】
0003132821.tif 000006